(57)【特許請求の範囲】
【請求項１】
第１のカーボンファイバ、及び
前記第１のカーボンファイバの表面上の、強磁性材料の少なくとも部分的な第１のコーティングであって、強磁性材料の前記第１のコーティングが認識パターンの少なくとも一部を形成する、強磁性材料の少なくとも部分的な第１のコーティング
を備える、第１の磁気カーボンファイバと、
前記強磁性材料により少なくとも部分的にコーティングされる第２のカーボンファイバを備える第２の磁気カーボンファイバと
を備える、コーデッドファイバ構造。
【請求項２】
前記第１の磁気カーボンファイバおよび前記第２の磁気カーボンファイバが、実質的に同じ平面内に配列される、請求項１に記載のコーデッドファイバ構造。
【請求項３】
第１のカーボンファイバ、及び
前記第１のカーボンファイバの表面上の、強磁性材料の少なくとも部分的な第１のコーティングであって、強磁性材料の前記第１のコーティングが認識パターンの少なくとも一部を形成する、強磁性材料の少なくとも部分的な第１のコーティング
を備える、第１の磁気カーボンファイバと、
第２のカーボンファイバ、及び
前記第２のカーボンファイバの表面上の、強磁性材料の少なくとも部分的な第２のコーティング
を備える、第２の磁気カーボンファイバとを備える、コーデッドファイバ構造。
【請求項４】
前記認識パターンの少なくとも追加部分を形成する少なくとも１つのバックグラウンドカーボンファイバ
をさらに備える、請求項３に記載のコーデッドファイバ構造。
【請求項５】
前記認識パターンが、強磁性材料の２次元パターンを含む、請求項４に記載のコーデッドファイバ構造。
【請求項６】
第１のカーボンファイバ、及び
前記第１のカーボンファイバの表面上の、強磁性材料の少なくとも部分的な第１のコーティングであって、強磁性材料の前記第１のコーティングが認識パターンの少なくとも一部を形成する、強磁性材料の少なくとも部分的な第１のコーティング
を備える、第１の磁気カーボンファイバを備え、
前記第１のカーボンファイバが、ポリマー中に少なくとも部分的に埋め込まれる、コーデッドファイバ構造。
【請求項７】
第１のカーボンファイバ、及び
前記第１のカーボンファイバの表面上の、強磁性材料の少なくとも部分的な第１のコーティングであって、強磁性材料の前記第１のコーティングが認識パターンの少なくとも一部を形成する、強磁性材料の少なくとも部分的な第１のコーティング
を備える、第１の磁気カーボンファイバを備え、
前記第１のカーボンファイバが、カーボンナノチューブを含む、コーデッドファイバ構造。
【請求項８】
第１のカーボンファイバ、及び
前記第１のカーボンファイバの表面上の、強磁性材料の少なくとも部分的な第１のコーティングであって、強磁性材料の前記第１のコーティングが認識パターンの少なくとも一部を形成する、強磁性材料の少なくとも部分的な第１のコーティング
を備える、第１の磁気カーボンファイバを備え、
前記第１の磁気カーボンファイバが、カーボンファイバの織構造の一部である、コーデッドファイバ構造。
【請求項９】
第１のカーボンファイバ、及び
前記第１のカーボンファイバの表面上の、強磁性材料の少なくとも部分的な第１のコーティングであって、強磁性材料の前記第１のコーティングが認識パターンの少なくとも一部を形成する、強磁性材料の少なくとも部分的な第１のコーティング
を備える、第１の磁気カーボンファイバを備え、
前記第１の磁気カーボンファイバを含むカーボンファイバポリマーの第１の平面と、
少なくとも第２の磁気カーボンファイバを含むカーボンファイバポリマーの第２の平面と
を備える、コーデッドファイバ構造。
【請求項１０】
第１の磁気カーボンファイバであって、
第１のカーボンファイバと、
前記第１のカーボンファイバの表面上の、強磁性材料の少なくとも部分コーティングと
を備える、第１の磁気カーボンファイバと、
少なくとも１本のバックグラウンドカーボンファイバであって、前記第１の磁気カーボンファイバが、前記少なくとも１本のバックグラウンドカーボンファイバとともに認識パターンに配列される、少なくとも１本のバックグラウンドカーボンファイバと、
カーボンファイバ強化ポリマーであって、その上に前記第１の磁気カーボンファイバおよび前記少なくとも１本のバックグラウンドカーボンファイバが設置される、カーボンファイバ強化ポリマーと
を備える、情報提供エンコーデッドカーボンファイバ構造。
【請求項１１】
第２の磁気カーボンファイバをさらに備え、前記第１の磁気カーボンファイバおよび前記第２の磁気カーボンファイバが、実質的に同じ平面上で平行な向きに配列される、請求項１０に記載の構造。
【請求項１２】
前記第１および第２の磁気カーボンファイバが、織布の形体に配置される、請求項１０に記載の構造。
【請求項１３】
前記カーボンファイバ強化ポリマーが、エポキシ、ポリエステル、ビニルエステル、またはナイロンのうちの少なくとも１つを含む、請求項１０に記載の構造。
【請求項１４】
第１のカーボンファイバと、
前記第１のカーボンファイバの表面上の、強磁性材料の少なくとも部分コーティングと
を含む、第１の磁気カーボンファイバを用意すること、
認識パターンの状態に強磁性材料の前記コーティングを設置し、これによって、コーデッドファイバを製造することと
前記第１のカーボンファイバに近接して少なくとも１本のバックグラウンドカーボンファイバを設置することとを含み、
前記バックグラウンドカーボンファイバが前記認識パターンの少なくとも一部を形成する、コーデッドファイバを製造する方法。
【請求項１５】
強磁性材料の前記少なくとも部分コーティングが、設置することに先立って前記第１のカーボンファイバの前記表面に付けられる、請求項１４に記載の方法。
【請求項１６】
第１のカーボンファイバと、
前記第１のカーボンファイバの表面上の、強磁性材料の少なくとも部分コーティングであって、前記コーティングが認識パターンを含む、強磁性材料の少なくとも部分コーティングと
を備える少なくとも１本の第１の磁気カーボンファイバを用意することと、
前記強磁性材料によって生成された前記認識パターンを検出することと
を含み、
前記パターンを検出することが、０．１ｍｍ以内で強磁性材料を解像するように構成された電磁検出装置によって実現される、
強誘電体材料を読み取る方法。
【請求項１７】
第１のカーボンファイバと、
前記第１のカーボンファイバの表面上の、強磁性材料の少なくとも部分コーティングであって、前記コーティングが認識パターンを含む、強磁性材料の少なくとも部分コーティングと
を備える少なくとも１本の第１の磁気カーボンファイバを用意すること、
前記強磁性材料によって生成された前記認識パターンを検出すること、
データベースをアクセスすること、および前記強磁性材料によって生成された前記認識パターンを前記データベース中にある前記認識パターンの電子表示と比較することを含む、強誘電体材料を読み取る方法。
【請求項１８】
第１のカーボンファイバと、
前記第１のカーボンファイバの表面上の、強磁性材料の少なくとも部分コーティングであって、前記コーティングが認識パターンを含む、強磁性材料の少なくとも部分コーティングと
を備える少なくとも１本の第１の磁気カーボンファイバを用意すること、及び
前記強磁性材料によって生成された前記認識パターンを検出することを含み、
前記第１の磁気カーボンファイバが、カーボンファイバ強化ポリマー材料上またはその中に設置される、強誘電体材料を読み取る方法。
【請求項１９】
前記認識パターンが、前記材料をどのようにしてリサイクルするかを表示する、請求項１８に記載の方法。
【請求項２０】
検出された前記認識パターンに基づいて前記材料を処理することをさらに含む、請求項１９に記載の方法。
【請求項２１】
第１のカーボンファイバ、及び
前記第１のカーボンファイバの表面上の、強磁性材料の少なくとも部分コーティングであって、前記強磁性材料のコーティングが認識パターンを形成する、少なくとも部分コーティング
を備える、少なくとも１本の磁気カーボンファイバと、
前記認識パターンを検出するように構成された電磁センサと、
前記電磁センサに動作可能に接続されたコンピュータ可読媒体とを備え、
前記コンピュータ可読媒体が、１つまたは複数の認識パターンに関する情報コンテンツを含むデータベースを含む、キット。
【発明の詳細な説明】
【技術分野】
【０００１】
本明細書において示されるいくつかの実施形態は、全体としてコーデッドファイバ（coded fibers）およびその使用に関する。
【発明の概要】
【０００２】
いくつかの実施形態では、コーデッドファイバが提供される。いくつかの実施形態では、これらのコーデッドファイバは、情報エンコーデングカーボンファイバ構造を形成するために使用されることが可能である。いくつかの実施形態では、コーデッドファイバを製造する方法が提供される。いくつかの実施形態では、コーデッドファイバを読み取る方法が提供される。
【０００３】
いくつかの実施形態では、コーデッドファイバが提供される。コーデッドファイバは、第１のカーボンファイバと、第１のカーボンファイバの表面上の、強磁性材料の少なくとも部分的な第１のコーティングとを含む第１の磁気カーボンファイバを含むことが可能である。いくつかの実施形態では、強磁性材料の第１のコーティングは、認識パターンの少なくとも一部を形成する。いくつかの実施形態では、磁性材料は、他の識別可能材料によって置き換えられる場合がある。
【０００４】
いくつかの実施形態では、情報エンコーデッドカーボンファイバ構造が提供される。本構造は、第１のカーボンファイバと、第１のカーボンファイバの表面上の、強磁性材料の少なくとも部分コーティングとを含む第１の磁気カーボンファイバを含むことが可能である。本構造はまた、少なくとも１本のバックグラウンドカーボンファイバ（たとえば、強磁性マーカを検出可能である同じ方法では検出可能ではないファイバ）含むことが可能であり、これを非磁気カーボンファイバとすることができる。いくつかの実施形態では、第１の磁気カーボンファイバは、少なくとも１本のバックグラウンドカーボンファイバとともに認識パターンに配列され、カーボンファイバ強化ポリマーを生成するためにポリマーと結合される。
【０００５】
いくつかの実施形態では、コーデッドファイバを製造する方法が提供される。いくつかの実施形態では、本方法は、第１のカーボンファイバと、第１のカーボンファイバの表面上の、強磁性材料の少なくとも部分コーティングとを含む第１の磁気カーボンファイバを用意することを含む。いくつかの実施形態では、本方法は、コーデッドファイバを製造するため、認識パターンの状態に強磁性材料のコーティングを設置することを含むことが可能である。いくつかの実施形態では、これは、（たとえば、カーボンファイバ上に配することによって）直接設置されるコーティングである。いくつかの実施形態では、コーティングは、（たとえば、ファイバ上にコーティングを有するカーボンファイバを動かすことによって）間接的に設置される。
【０００６】
いくつかの実施形態では、強誘電体材料を読み取る方法が提供される。いくつかの実施形態では、本方法は、第１のカーボンファイバと、第１のカーボンファイバの表面上の、強磁性材料の少なくとも部分コーティングを含む少なくとも第１の磁気カーボンファイバを用意することを含む。いくつかの実施形態では、コーティングは、認識パターンを含む。いくつかの実施形態では、本方法は、強磁性材料によって生成された認識パターンを検出することを含む。いくつかの実施形態では、これは、検出された認識パターンのシグネチャである。いくつかの実施形態では、本方法は、任意の他の識別可能材料に対して適用される場合がある。
【０００７】
いくつかの実施形態では、キットが提供される。いくつかの実施形態では、本キットは、第１のカーボンファイバと、第１のカーボンファイバの表面上の、強磁性材料の少なくとも部分コーティングとを含むことが可能な少なくとも１本の磁気カーボンファイバを含むことが可能である。いくつかの実施形態では、強磁性材料のコーティングは、認識パターンを形成する。いくつかの実施形態では、本キットはまた、認識パターンを検出するように構成された電磁センサを含む。いくつかの実施形態では、本キットは、強磁性材料の代わりに、任意の他の識別可能材料を含むことが可能である。
【０００８】
いくつかの実施形態では、コーデッドファイバが提供される。いくつかの実施形態では、コーデッドファイバは、第１のカーボンファイバと、第１のカーボンファイバに接続された第１の無線周波数識別タグ（「ＲＦＩＤＴ」）とを含む第１の無線周波数識別タグ（「ＲＦＩＤＴ」）ファイバを含むことが可能である。いくつかの実施形態では、コーデッドファイバは、第２のカーボンファイバと、第２のカーボンファイバに接続された第２のＲＦＩＤＴとを含む第２の無線周波数識別タグ（「ＲＦＩＤＴ」）ファイバを含む。いくつかの実施形態では、第１のＲＦＩＤＴおよび第２のＲＦＩＤＴは、認識パターンとして配置される。
【０００９】
前述の要約は、単に例示的であり、多少なりとも限定するようには見なされないものとする。上に記載した例示的な態様、実施形態、および特徴に加えて、さらなる態様、実施形態、および特徴は、図面および下記の詳細な説明を参照することによって明らかになるであろう。
【図面の簡単な説明】
【００１０】
【図１Ａ】コーデッドカーボンファイバのいくつかの実施形態の図面である。
【図１Ｂ】コーデッドカーボンファイバのいくつかの実施形態の図面である。
【図１Ｃ】コーデッドカーボンファイバのいくつかの実施形態の図面である。
【図２Ａ】コーデッドカーボンファイバを使用する方法のいくつかの実施形態を描く流れ図である。
【図２Ｂ】コーデッドカーボンファイバを使用する方法のいくつかの実施形態を描く流れ図である。
【発明を実施するための形態】
【００１１】
下記の詳細な説明では、本明細書の一部を形成する添付の図面を参照する。図面では、文脈が別なふうに規定しない限り、類似の記号は類似のコンポーネントを特定する。詳細な説明、図面、および特許請求の範囲において記述する例示的な実施形態は、限定することを意味しない。本明細書において示した主題の精神および範囲から逸脱せずに、他の実施形態を利用することができ、他の変更を行うことができる。一般的に本明細書において記述され、図に図示されるような本開示の態様を、多種多様なさまざまな構成に配置し、置き換え、統合し、分離し、そして設計することが可能であり、そのすべてが本明細書において明確に予期されることが、容易に理解されるであろう。
【００１２】
カーボンファイバ材料は、たとえば、自動車、電子装置、航空宇宙工学、スポーツ用品、および風力発電機においてますます一般的になってきている。数ある態様の中でとりわけ、カーボンファイバ材料の処理、維持管理、除却、およびリサイクルを、製造日、プロセス、材料、製造者、および／または利用者についての情報によって大幅に容易にすることができることが、現在認識されてきている。コーデッドカーボンファイバが本明細書において開示され、コーデッドカーボンファイバはいくつかの実施形態では、検出用の特定のパターン（認識パターン）、および任意選択で、コーデッドカーボンファイバに関係付けられたいくつかの態様（および／またはコーデッドカーボンファイバに関係付けられた構造）の更なる識別を提供することが可能である。いくつかの実施形態では、これらのコーデッドカーボンファイバは、（追加のおよび／または代替の識別可能材料が同様に本明細書において想定されるとはいえ）磁性材料で少なくとも部分的にコーティングされる。他の実施形態では、コーデッドカーボンファイバは、磁性材料で完全にコーティングされる。いくつかの実施形態では、（ファイバ自体の上か、またはさまざまなカーボンファイバの配列として示されるような）磁性材料を、認識パターンを形成するように配列させる。いくつかの実施形態では、コーデッドカーボンファイバを、製品の機能を損なうことなくカーボンファイバ製品中に埋め込むことが可能である。いくつかの実施形態では、認識パターンを、製品に関する情報（たとえば、カーボンファイバ製品の製造または使用）を提供するための識別子として読み取るおよび／または使用することが可能である、とはいえ、他の使用が想定され、同様に本明細書において開示される。
【００１３】
図１Ａは、認識パターンを含むまたはその一部とすることが可能なコーデッドファイバ３００のいくつかの実施形態を描く。いくつかの実施形態では、コーデッドファイバ３００は、カーボンファイバ３１０およびカーボンファイバに関係付けられたいくつかのタイプの識別可能材料３２０を含む。いくつかの実施形態では、識別可能材料は、磁性材料を含むことが可能である。
【００１４】
いくつかの実施形態では、磁性材料（または他の識別可能材料）は、コーデッドファイバの表面上にあることが可能である。いくつかの実施形態では、磁性材料（または他の識別可能材料）を、カーボンファイバの一部とすることができる。いくつかの実施形態では、磁性材料（または他の識別可能材料）を、カーボンファイバに共有結合で付けることが可能である。いくつかの実施形態では、磁性材料（または他の識別可能材料）は、カーボンファイバ内にある場合がある。
【００１５】
いくつかの実施形態では、コーティングは、認識パターンの少なくとも一部を形成する。いくつかの実施形態では、認識パターンを、単一のファイバ上とすることができる（たとえば、全体の認識パターンが、単一のファイバ上にあることができる）。いくつかの実施形態では、認識パターンを、２本以上のファイバから作ることが可能であり、磁性材料を、２本以上のファイバ上に設置することが可能である。いくつかの実施形態では（下記にさらに詳細に説明するように）、認識パターンを、バーコードなどの２次元配列とすることでき、そこでは別々のファイバが認識パターンの情報の１つまたは複数のバーを作ることが可能である。
【００１６】
下に記すように、認識パターンを作るために、さまざまな材料を使用することが可能である。いくつかの実施形態では、識別可能材料は、磁性材料を含むことが可能である。いくつかの実施形態では、磁性材料は、誘導性磁性材料を含む。いくつかの実施形態では、コーデッドファイバの少なくとも一部は、認識パターンの少なくとも一部を形成するために磁化される。いくつかの実施形態では、磁性材料は、強磁性材料を含む。いくつかの実施形態では、磁性材料のコーティングは、鉄、ニッケル、またはコバルトのうちの少なくとも１つを含む。
【００１７】
本明細書において使用するように、用語「コーティング」は、別なふうに具体的に記されない限り、部分コーティングおよび／または完全コーティングを表すことが可能である。いくつかの実施形態では、コーティングは、ファイバおよび／またはナノチューブへの共有結合を含むことが可能である。
【００１８】
いくつかの実施形態では、第１および第２のコーデッドファイバが提供され、認識パターンを一緒に作る。いくつかの実施形態では、第１および第２のコーデッドファイバのうちの少なくとも一部が磁気を帯び、これによって認識パターンの少なくとも一部を形成する。いくつかの実施形態では、認識パターンは、少なくとも約２、３、５、１０、２０、３０、４０、５０、６０、７０、８０、９０、１００、２００、３００、４００、５００、６００、７００、８００、９００、１，０００、１０，０００、１００，０００、または１００万本のコーデッドファイバを含み、前記の値のいずれか１つよりも大きな範囲および前記の値のいずれか２つの間の範囲を含む。いくつかの実施形態では、それぞれの追加のコーデッドファイバは、磁性材料（または他の識別可能材料）によって少なくとも部分的にコーティングされ、これによって認識パターンの少なくとも追加部分を形成する。
【００１９】
いくつかの実施形態では、第１のコーデッドファイバおよび第２のコーデッドファイバを、互いに関連させて配列する（図１Ｂ）。いくつかの実施形態では、ファイバの２次元配列および／または配置は、より多くの情報コンテンツをパターンに関係付けることおよび／またはさらなる一意性が各パターンについて利用可能になることを可能にする。いくつかの実施形態では、各々の追加のコーデッドファイバ（たとえば、第３の、第４の、第５の、第１０の、または第１００の）を、第１のコーデッドファイバおよび／または第２のコーデッドファイバに関連させて配列する。いくつかの実施形態では、配列は、実質的に同じ平面上で実質的に平行である（４１０）。いくつかの実施形態では、配列は、実質的に同じ平面上で実質的に非平行である（４２０）。たとえば、非平行配列を、実質的に垂直にすることが可能である。たとえば、非平行配列は、９０度でない角度で交差する交差ファイバを含むことが可能である。いくつかの実施形態では、少なくとも２つのコーデッドファイバを平行に配列し、かつ少なくとも１本の追加のコーデッドファイバを、他の少なくとも２つに対して垂直に配列する。いくつかの実施形態では、少なくとも２つのコーデッドファイバを平行に配列し、少なくとも１本の追加のコーデッドファイバは、平行構造に対して９０度でない角度で他の少なくとも２つと交差する。いくつかの実施形態では、配列は、実質的に同じ平面内にある。いくつかの実施形態では、配列は、実質的に異なる平面内にある。いくつかの実施形態では、少なくとも２つのコーデッドファイバを、同じ平面内に配列し、かつ少なくとも１本の追加のコーデッドファイバを、他のものとは異なる平面内に配列する。
【００２０】
いくつかの実施形態では、第２の磁気ファイバは、磁性材料（または他の識別可能材料）の第２のコーティングで少なくとも部分的にコーティングされた第２のカーボンを含む。いくつかの実施形態では、第２のコーティングは、第１のコーティングと同じ材料である。いくつかの実施形態では、第２のコーティングは、第１のコーティングとは異なる材料である。いくつかの実施形態では、第２のコーティングは、強磁性材料である。いくつかの実施形態では、第２のコーティングは、認識パターンの少なくとも追加部分を形成する。いくつかの実施形態では、磁性材料（または他の識別可能材料）の量を、異なるカーボンファイバ上でおよび／または１つのファイバの異なるセクション上で変えることが可能である。
【００２１】
いくつかの実施形態では、認識パターン内のファイバのうちのすべてまたは実質的にすべてが、磁性材料などの識別可能材料の少なくともなんらかのコーティングを含む。いくつかの実施形態では、認識パターン内のファイバのうちのサブセットだけが、コーティングを含み、たとえば、約９９、９８、９７、９６、９５、９０、８５、８０、７５、７０、６５、６０、５５、５０、４５、４０、３５、３０、２５、２０、１５、１０、９、８、７、６、５、４、３、２、１、０．１％未満、またはこれ以下が、識別可能材料のコーティングを含む。いくつかの実施形態では、認識パターンは、少なくとも１本のバックグラウンドファイバ４３０を含む。用語「バックグラウンド」は、「識別可能材料」を検出可能な同じ方法ではファイバまたは材料が検出できないことを表す。したがって、識別可能材料が磁性材料を含むときには、適切なバックグラウンドを非磁性材料とすることが可能である。いくつかの実施形態では、認識パターンは、少なくとも約２、３、５、１０、１００、１，０００、１０，０００、または１，０００，０００本のバックグラウンドファイバをさらに含み、前記の値のいずれか１つよりも大きな範囲および前記の値のいずれか２つの間の任意の範囲を含む。いくつかの実施形態では、１本または複数のバックグラウンドカーボンファイバは、認識パターンの追加部分を含む。いくつかの実施形態では、コーデッドファイバとともに１本または複数のバックグラウンドカーボンファイバは、認識パターンの少なくとも一部を作る。いくつかの実施形態では、１本または複数のコーデッドファイバとともに１本または複数のバックグラウンドカーボンファイバは、全体の認識パターンを作る。
【００２２】
いくつかの実施形態では、認識パターンは、直接検出または間接検出によって決定することが可能なパターンを含む。いくつかの実施形態では、パターンは、１次元である。いくつかの実施形態では、パターンは、２次元である。いくつかの実施形態では、１次元パターンを、１本のカーボンファイバ上の単一の磁気コーティングによって形成することが可能である（たとえば、図１Ａ）。いくつかの実施形態では、１次元パターンを、異なるファイバ上にコーティングしたセグメントおよびコーティングしないセグメントを交互にし、（たとえば、図１Ｃにおけるバーコードなどの）パターンを形成するように配置したファイバ自体を有することによって形成することが可能である。このようなパターンが、実際問題として２次元構造であるが、パターンそれ自体、およびその読み取りを、（たとえば、バーコードにおける）バーの高さとは無関係にすることが可能であり、したがって、１次元パターンとして特徴付けることが可能であることが、認識されるであろう。
【００２３】
いくつかの実施形態では、図１Ｂに示したように、２次元パターンを、少なくとも２つの平行なコーデッドファイバ４５０および４８０によって形成することが可能であり、そこでは、コーデッドファイバは、ファイバの異なる部分のところにコーティングを含む。いくつかの実施形態では、２次元パターンを、単一のコーティングしたファイバ４７５を曲げたときのように、単一のコーティングしたファイバによって形成することが可能であり、これによって２次元の磁気パターンを形成する。いくつかの実施形態では、２次元パターンを、互いに相対的に異なる角度で異なるファイバを配置することによって形成することが可能である。たとえば、図１Ｂに示したように、第１のコーデッドファイバ４８０を、もう１本のコーデッドファイバ４２０に対してある角度で設置することが可能であり、これによって２次元の磁気（または他の識別可能マーカ）のパターンを形成する。いくつかの実施形態では、角度を、平行と垂直との間のどこか、たとえば、互いに相対的に約０、１、５、１０、１５、２０、２５、３０、３５、４０、４５、５０、５５、６０、６５、７０、７５、８０、８５、または９０度、とすることが可能である。いくつかの実施形態では、ファイバに対して向きがある（たとえば、一端が他端とは異なる）ときには、角度を９０度よりも大きく、たとえば、約９５、１００、１０５、１１０、１１５、１２０、１２５、１３０、１３５、１４０、１４５、１５０、１５５、１６０、１６５、１７０、１７５、１８０、１８５、１９０、１９５、２００、２１０、２１５、２２０、２２５、２３０、２３５、２４０、２４５、２５０、２５５、２６５、２７０、２７５、２８０、２８５、２９０、２９５、３００、３０５、３１０、３１５、３２０、３２５、３３０、３３５、３４０、３４５、３５０、３５５、または３６０度近くにすることが可能であり、上記の値のいずれか２つの間の任意の範囲を含む。いくつかの実施形態では、パターンは、３次元であり、２次元用途に適用される同じ概念を、３次元に適用することが可能であり、さまざまな認識パターンに対してさらに大きな識別力および一意性を与える。いくつかの実施形態では、可変量の識別可能マーカを使用することは、さらに識別力を追加し、したがって、異なるファイバは、いくつかの実施形態では異なる量の識別可能マーカを有することが可能である。いくつかの実施形態では、変化するタイプの識別可能マーカを使用することは、さらに識別力を追加し、したがって、異なるファイバは、いくつかの実施形態では異なるタイプの識別可能マーカを有することが可能である。
【００２４】
いくつかの実施形態では、１本または複数のコーデッドファイバは、ポリマー中に埋め込まれる。いくつかの実施形態では、少なくとも１本のバックグラウンドファイバもやはり、ポリマー中に埋め込まれる。いくつかの実施形態では、ポリマーは、識別可能材料と過度に干渉しない任意のポリマーである。いくつかの実施形態では、ポリマーを、エポキシ、ポリエステル、ビニルエステル、および／またはナイロンのうちの１つまたは複数とすることができる。
【００２５】
いくつかの実施形態では、コーデッドファイバは、フィラメントの軸に実質的に平行に整列した炭素原子の少なくとも１つのフィラメントを含む。いくつかの実施形態では、追加のコーデッドファイバもまた、このようなフィラメントを含む。いくつかの実施形態では、フィラメントは、ナノチューブの一部である。いくつかの実施形態では、コーデッドファイバは、カーボンナノチューブを含む。いくつかの実施形態では、バックグラウンドファイバもまた、類似のフィラメントを含む。いくつかの実施形態では、バックグラウンドファイバは、カーボンナノチューブを含むことが可能である。いくつかの実施形態では、２つ以上のコーデッドフィラメントは、フィラメントの軸に実質的に平行に整列した炭素原子のフィラメントとカーボンナノチューブとの組み合わせを含む。いくつかの実施形態では、２つ以上のバックグラウンドフィラメントは、フィラメントの軸に実質的に平行に整列した炭素原子のフィラメントとカーボンナノチューブとの組み合わせを含む。
【００２６】
いくつかの実施形態では、コーデッドファイバは、カーボンファイバの織構造（weave）の一部である（たとえば、図１Ｂ参照）。いくつかの実施形態では、織構造は、少なくとも１本のコーデッドカーボンファイバ４８０および１本の非コーデッドカーボンファイバ４３０を含む。いくつかの実施形態では、コーデッドファイバは、織構造の横糸４７５である。いくつかの実施形態では、コーデッドカーボンファイバは、織構造の縦糸４８０である。いくつかの実施形態では、少なくとも１本のコーデッドカーボンファイバが横糸であり、少なくとも１本のコーデッドファイバが縦糸である。いくつかの実施形態では、カーボンファイバ織構造は、カーボンファイバ単独で作られた横糸とコーデッドカーボンファイバ以外の部分がバックグラウンドカーボンファイバである縦糸を織ることによって作られる。いくつかの実施形態では、磁性材料で完全にコーティングされたカーボンファイバを、バックグラウンドカーボンファイバと交互に織ることが可能であり、これによって、（たとえば、バーコードに類似の）１次元パターンを形成する。
【００２７】
いくつかの実施形態では、３次元認識パターンを提供する。これをさまざまな方法（たとえば、カーボンナノ構造を作るいずれかの方式）で実現することが可能であるが、いくつかの実施形態では、これを、さまざまなファイバ構造の平面を組み合わせることによって行うことが可能である。いくつかの実施形態では、カーボンファイバの第１の平面は、少なくとも第１の磁気カーボンファイバを含み、カーボンファイバの第２の平面は、少なくとも第２の磁気カーボンファイバを含有する。いくつかの実施形態では、認識パターンの少なくとも一部を含むカーボンファイバの平面を、カーボンファイバの少なくとも１つの他の平面と積層することが可能である。いくつかの実施形態では、カーボンファイバの１つまたは複数の平面、たとえば、カーボンファイバの２、３、４、５、１０、２５、５０、７５、または１００の平面を積層する。いくつかの実施形態では、カーボンファイバの少なくとも第２の平面は、認識パターンの一部を含む。いくつかの実施形態では、カーボンファイバの２つ以上の平面は、少なくとも１本の磁気ファイバ（または他の識別可能ファイバ）をそれぞれ含有する。いくつかの実施形態では、２つ以上の隣接する平面は、少なくとも１本の磁気ファイバ（または他の識別可能ファイバ）をそれぞれ含有する。いくつかの実施形態では、少なくとも１つのバックグラウンド平面は、２つのコーデッド平面の間に置かれ、２つのコーデッド平面の各々は、少なくとも１本のコーデッドファイバを含有する。いくつかの実施形態では、少なくとも１つのカーボンファイバ平面は、織布である。いくつかの実施形態では、カーボンファイバの各平面は、ポリマー、たとえば、エポキシまたは相互に整合する平面の位置を維持することを補助する他の物質と接触する。
【００２８】
コーデッドファイバによって作られた認識パターンを、さまざまな方法でおよびさまざまな装置を用いて使用することが可能であるが、いくつかの実施形態では、コーデッドファイバを、カーボンファイバ強化ポリマーと組み合わせて使用することが可能である。いくつかの実施形態では、少なくとも１本の磁気（または他の識別可能）ファイバを、カーボンファイバ強化ポリマー上に認識パターンを形成するように配置する。いくつかの実施形態では、カーボンファイバポリマー上の認識パターンを、たとえば、そのカーボンファイバポリマーを処理することおよび／またはリサイクルすることを容易にするための識別子として使用することが可能である。いくつかの実施形態では、認識パターンを、バーコードタイプの目的のためにやはり使用することが可能である。
【００２９】
いくつかの実施形態では、情報エンコーデッドカーボンファイバ構造を提供する。いくつかの実施形態では、情報エンコーデッドカーボンファイバ構造は、少なくとも部分認識パターンに配列された第１の識別可能（たとえば、磁気）ファイバ、および少なくともバックグラウンド（たとえば、非磁気）カーボンファイバを含む。いくつかの実施形態では、第１の識別可能ファイバは、第１のカーボンファイバおよび第１のファイバの表面上の、磁性材料の少なくとも部分コーティングを含む。
【００３０】
いくつかの実施形態では、識別可能（たとえば、磁気）カーボンファイバがバックグラウンドカーボンファイバポリマーに隣接する情報エンコーデッドカーボンファイバ構造を提供する。
【００３１】
いくつかの実施形態では、情報エンコーデッドカーボンファイバ構造は、第１の識別可能（たとえば、磁気）カーボンファイバとともに配列された第２の（またはより多くの）識別可能（たとえば、磁気）カーボンファイバをやはり含む。いくつかの実施形態では、構造は、約１、２、３、４、５、１０、２５、５０、７５、１００、５００、１，０００または１，０００，０００本の識別可能（たとえば、磁気）カーボンファイバの配列を含み、前記の値のうちのいずれか１つよりも小さな範囲、前記の値のうちのいずれか１つよりも大きな範囲、および前記の値のうちのいずれか２つの間の任意の範囲を含む。いくつかの実施形態では、配列は平行である。いくつかの実施形態では、配列は、実質的に同じ平面上で平行である。いくつかの実施形態では、配列は、非平行である。いくつかの実施形態では、配列は、実質的に同じ平面上で非平行である。いくつかの実施形態では、非平行な配列は、２つの垂直な磁気カーボンファイバを含むことが可能である。いくつかの実施形態では、非平行な配列は、９０度でない角度で交差する交差磁気ファイバを含むことが可能である。いくつかの実施形態では、少なくとも２つの磁気カーボンファイバが、平行に配列され、少なくとも１本の追加の磁気カーボンファイバが、少なくとも２つの他のものに対して垂直に配置される。いくつかの実施形態では、少なくとも２つの磁気カーボンファイバが平行に配列され、少なくとも１本の追加の磁気カーボンファイバが９０度以外の角度で少なくとも２つの他のものと交差する。いくつかの実施形態では、第１および第２の磁気カーボンファイバは、織布を形成するように配置される。いくつかの実施形態では、織布は、少なくとも１本のバックグラウンドファイバを含む。いくつかの実施形態では、情報エンコーデッドカーボンファイバ構造のカーボンファイバは、カーボンナノチューブを含む。コーデッドファイバおよび／または認識パターンの任意の実施形態を、情報提供エンコーデッド構造において利用することが可能である。
【００３２】
いくつかの実施形態では、情報エンコーデッドカーボンファイバ構造は、カーボンファイバ強化ポリマーシートの一部である。いくつかの実施形態では、情報エンコーデッドカーボンファイバは、車両の一部である。いくつかの実施形態では、情報エンコーデッドカーボンファイバ構造は、自動車、飛行機、自転車フレーム、複合材料、遠隔制御車両、帆船、オートバイ、ラップトップ、三脚、釣竿、アーチェリー用具、テント支柱、ラケットフレーム、ゴルフクラブ、ビリアードキュー、または織物の一部である。いくつかの実施形態では、自動車は、ハイブリッド電気自動車である。いくつかの実施形態では、自動車は、電気自動車である。
【００３３】
いくつかの実施形態では、情報エンコーデッドカーボンファイバ構造は、エポキシ、ポリエステル、ビニルエステル、および／またはナイロンのうちの少なくとも１つなどのポリマーを含む。いくつかの実施形態では、情報エンコーデッドカーボンファイバ構造は、パラアラミド合成ファイバ、アルミニウム、および／またはガラスのうちの少なくとも１つを含む。
【００３４】
いくつかの実施形態では、コーデッドファイバを製造するための方法を提供する。いくつかの実施形態では、少なくとも１つのカーボンファイバの表面を、（磁性材料などの）識別可能材料で少なくとも部分的にコーティングし、識別可能材料を、特定の配列に設置し、これによって認識パターンを形成する。いくつかの実施形態では、少なくとも１本の識別可能材料カーボンファイバおよび少なくとも１本のバックグラウンド材料カーボンファイバを、認識パターンに設置する。いくつかの実施形態では、少なくとも１本の識別可能材料（たとえば、磁性）カーボンファイバおよび少なくとも１本のバックグラウンド材料（たとえば、非磁性）カーボンファイバをポリマーと接触させ、これによって、カーボンファイバ強化ポリマーを形成する。いくつかの実施形態では、磁性材料は、強磁性材料である。いくつかの実施形態では、強磁性材料は、ニッケル、コバルト、または鉄のうちの少なくとも１つを含む。
【００３５】
いくつかの実施形態では、方法は、識別可能材料カーボンファイバに近接して少なくとも１本のバックグラウンドカーボンファイバを設置して、認識パターンの少なくとも一部を形成することを含む。いくつかの実施形態では、第１の識別可能材料ファイバと少なくとも１本の不活性ファイバとの間の近さは、約１、２、３、４、５、１０、２５、５０、７５、１００、５００、１０００、１０，０００または１，０００，０００マイクロメートルであり、前記の値のうちのいずれか１つよりも小さな範囲、前記の値のうちのいずれか１つよりも大きな範囲、および前記の値のうちのいずれか２つの間の範囲を含む。
【００３６】
いくつかの実施形態では、少なくとも１本の磁気カーボンファイバおよび少なくとも１本のバックグラウンドファイバをエポキシと接触させ、エポキシ構成物を形成する。いくつかの実施形態では、１本または複数の磁気カーボンファイバおよび１本または複数の非磁気ファイバを、認識パターンの少なくとも一部を形成する配列に配置する。いくつかの実施形態では、認識パターンは、１次元であり、したがって、一方向に沿って（たとえば、単一ファイバ方向に沿って）、またはバーコードタイプの配列に識別可能材料を付けることを含むことが可能である。いくつかの実施形態では、認識パターンは、２次元であり、２本以上のファイバの相対的な配置を含むことが可能である。いくつかの実施形態では、認識パターンは、３次元であり、３本以上のファイバの相対的な配置を含むことが可能である。
【００３７】
いくつかの実施形態では、作られたパターンは、所望のパターンである。いくつかの実施形態では、ファイバを、所望のパターンに設置することが可能である。いくつかの実施形態では、作られたパターンは、ランダムである、部分的にランダムである、またはランダムに作られる。したがって、いくつかの実施形態では、さまざまなファイバ（識別可能ファイバおよびバックグラウンドファイバを含む）を、エポキシ中に一緒に混合することが可能であり、エポキシを乾燥することを可能にする。これに続いて、シグネチャを、乾燥したエポキシ構成物から（識別可能ファイバおよびバックグラウンドファイバのランダム配列から）観測することが可能であり、シグネチャを、その特定の乾燥した構成物と対にすることが可能である。いくつかの実施形態では、混合するプロセスおよび／または組み合わせるプロセスは、必ずしも完全にランダムであることも、または完全に規則的であることも必要がなく、２つの手法の混合および／または取り組みのいずれかへの偏りを含むことが可能である。
【００３８】
いくつかの実施形態では、認識パターンは、任意選択でバックグラウンドファイバを有する識別可能ファイバの配列によって作られる。したがって、ファイバのうちの少なくともいくつかは、設置されることに先立って（および任意選択でポリマーを加えることに先立って）ファイバ上に識別可能材料を既に有する。
【００３９】
いくつかの実施形態では、認識パターンは、ファイバを設置することの後で作られる。したがって、いくつかの実施形態では、ファイバを、物理的に配列させることが可能であり、次に、識別可能材料を、（ポリマーの一部の適用の前または後のいずれかで）ファイバに付けることが可能である。いくつかの実施形態では、ファイバのうちの少なくとも１本は、少なくともある程度（たとえば、約０．００１、０．０１、０．１、１、５、１０、２０、３０、４０、５０、６０、７０、８０、９０、９５、９９、または１００％、前記の値のうちのいずれか１つよりも小さな範囲、および前記の値のうちのいずれか２つの間の範囲を含む）まで識別可能材料で（ファイバの、たとえば、約１、５、１０、１５、２０、３０、４０、５０、６０、７０、８０、９０、９５、または９９％）コーティングされるようになる。
【００４０】
いくつかの実施形態では、得られた配列は、カーボンファイバ織布を含む。いくつかの実施形態では、配列にエポキシ樹脂をしみこませる。
【００４１】
いくつかの実施形態では、カーボンファイバ強化ポリマーは、熱可塑性樹脂中に識別可能マーカを含む小片化したファイバを分散させることによって作られる。
【００４２】
いくつかの実施形態では、ポリマー結合体を、次に硬化させるおよび／またはキュアすることが可能である。いくつかの実施形態では、ポリマー結合体を、Ｂステージに硬化させる。いくつかの実施形態では、ポリマー結合体を成形する。いくつかの実施形態では、ポリマー結合体を、所望の形状に成形する。いくつかの実施形態では、ポリマー結合体を、任意の一般的に使用される成形法、たとえば、真空成形によって成形する。
【００４３】
いくつかの実施形態では、カーボンファイバ強化ポリマーは、高強度を要求される用途に対して使用される標準的なカーボンファイバ強化ポリマーを製造するための方法を使用して形成され、この方法は、さまざまな角度に向けられた２次元カーボンファイバ織物を積層体に層状に重ねることを含むことが可能であり、織物にエポキシ樹脂をしみ込ませ、硬化させることに続く。
【００４４】
いくつかの実施形態では、コーデッドファイバを空間的に設置することを維持することが可能であるように、２本以上のコーデッドファイバを、ポリマーまたは他の固定剤中に少なくとも部分的に埋め込む。いくつかの実施形態では、ポリマーは、認識パターンがその上に付けられるまたは含まれる製品と同じポリマーである。
【００４５】
いくつかの実施形態では、カーボンファイバ強化ポリマーを、表面が（磁性材料などの）識別可能材料で少なくとも部分的にコーティングされた少なくとも１本のカーボンファイバを織ることによって、あるいは、少なくとも１本のバックグラウンドカーボンファイバとともに織ることによって形成し、これによって、強化されるカーボン織物の少なくとも１つの層を形成する。いくつかの実施形態では、カーボン織物の少なくとも１つの層が、プリプレグ（pre-pregs）を形成するために強化材料として使用され、成形することおよび硬化させることに続く。
【００４６】
いくつかの実施形態では、カーボンファイバの２つ以上の平面は、その製造中に積み重ねられる。いくつかの実施形態では、カーボンファイバの２つ以上の平面の各々は、カーボンファイバ織布を含む。いくつかの実施形態では、２つ以上の平面は、（たとえば、２つ以上の識別可能ファイバを参照して説明したように）さまざまな角度に向けられる。いくつかの実施形態では、次に、２つ以上の平面にエポキシ樹脂をしみ込ませることが可能である。ある実施形態では、エポキシを硬化することが可能である。いくつかの実施形態では、Ｂステージへと硬化させる。いくつかの実施形態では、２つ以上の平面を、所望の形状へと成形する。いくつかの実施形態では、成形することは、任意の一般的に使用される方法、たとえば、真空成形による。いくつかの実施形態では、２つ以上の平面は、カーボンファイバ上に少なくとも１つの識別可能マーカを含む少なくとも第１の平面、および識別可能マーカを含まない少なくとも第２の平面を含む。いくつかの実施形態では、２つ以上の平面は、少なくとも１本の識別可能マーカファイバを含む少なくとも１つの第１の平面、および少なくとも１本の識別可能マーカファイバを含む少なくとも１つの第２の平面を含む。いくつかの実施形態では、第１の磁気平面および第２の磁気平面は、相互に上に層状に重ねられる。いくつかの実施形態では、第１の磁気平面および第２の磁気平面は、少なくとも１つの非識別可能マーカ平面、たとえば、約１、２、３、５、１０、１００、１，０００、１０，０００または１００，０００のバックグラウンド平面によって分離される。
【００４７】
いくつかの実施形態では、第１のカーボンファイバを設置し、次に少なくとも部分磁気コーティングを付け、これによって、認識パターンを形成する。いくつかの実施形態では、磁気コーティングを、第１のカーボンファイバ（および／または他のファイバ）に付け、次に、第１のカーボンファイバ（および／または他のファイバ）を設置する。いくつかの実施形態では、第１のカーボンファイバを設置し、次に少なくとも部分磁気コーティングを、第１のカーボンファイバおよび少なくとも第２のカーボンファイバ（および／または他のファイバ）に付ける。
【００４８】
いくつかの実施形態では、形成して得られる認識パターンを、認識パターンのシグネチャのデジタル表示としてデータベース内に記録するまたは取り込む。当業者には認識されるであろうように、認識パターンと、観測されるおよび／または検出される認識パターンの特性とは、多数の態様（たとえば、環境条件、パターンのプレースメント、パターンの深さ、検出器の感度、検出の速度、検出距離、等）に応じて異なることがある。それを踏まえて、明確にする目的で、句「認識パターンのシグネチャ」または「認識パターンシグネチャ」を、シグネチャが記録される、比較される、等である検出可能な態様であることを明確にするために使用することが可能である。しかしながら、用語「認識パターン」を、認識パターンの使用の背景に応じて、物理パターンそれ自体および／またはシグネチャのいずれかを表示するために使用することが可能である。いくつかの実施形態では、シグネチャのデジタル表示を、コンピュータ可読媒体上に記憶する。いくつかの実施形態では、認識パターンを観測し（たとえば、識別可能材料の配置を解像することが可能な装置を介して検出し）、そして認識パターンのシグネチャを示すデータを記憶し、認識パターンならびに／または認識パターンに関係する装置および／もしくは材料の残りと関係付ける。いくつかの実施形態では、たとえば、ファイバの初期配置が非特異的であるおよび／またはランダムであるときには、これは特に有用である。いくつかの実施形態では、認識パターンの総合されたものは、（たとえば、コーデッドファイバが互いに関連して特定の位置に設置されるまたは特定のパターンへと織られるときに）ある者が認識パターンのシグネチャを予測することを可能にする。いくつかの実施形態では、シグネチャを識別するために認識パターンの観測または検出が要求されず、代わりに、シグネチャを、製造手法に基づいて予測することが可能である。そのような実施形態では、シグネチャのデジタル表示を、識別可能材料の態様が、所定の方式で配置されたときにそれ自体をどのようにして示すかを予測するように構成されたコンピュータによって予測するおよび／または形成することが可能である。
【００４９】
いくつかの実施形態では、プリプレグを形成する。いくつかの実施形態では、プリプレグを、カーボン織物の少なくとも１つの層上に形成する。
【００５０】
上に記したように、認識パターンは、引き続く観測のために形成される実際のパターンであるけれども、シグネチャは、認識パターンの物理的な構造のすべてに関して必ずしも同一である必要はなく、代わりに、（絶対的に存在するこれらの特徴よりはむしろ）検出される認識パターンの特徴に関係する。したがって、いくつかの実施形態では、実際の認識パターンに関する情報を記憶することおよび記録することならびに／または一致させることよりはむしろ（および／または加えて）、認識パターン、特にファイバ上の識別可能材料を検出するために使用する装置によって検出されるパターン、のシグネチャを用いて、同じことをやはり行うことが可能である。いくつかの実施形態では、任意の所定の認識パターンに関係付けることが可能なシグネチャの範囲があり、ならびにすべてのサブセットまたは変形形態およびその混成形態を、データベース中に含むことが可能である。したがって、いくつかの実施形態では、シグネチャに対する絶対的な一致は必要ではなく、むしろおおよその一致が十分である。したがって、いくつかの実施形態では、一致を、特定の用途、配列および使用に応じて、１００％未満、たとえば、約９９、９８、９７、９６、９５、９４、９３、９２、９１、９０、８５、８０、７５、７０、６５、６０、５０、４０、３０、２０、１０、１またはこれ以下とすることが可能である（前記の値のいずれかよりも小さい任意の範囲を含む）。
【００５１】
いくつかの実施形態では、強磁性材料を読み取る方法を提供する（図２Ａ）。いくつかの実施形態では、方法は、少なくとも第１の磁気カーボンファイバを用意することを含み、第１の磁気カーボンファイバは、磁性材料で少なくとも部分的にコーティングされたファイバ（たとえば、カーボンファイバ）を含み、これによって認識パターンを形成する（１００）。いくつかの実施形態では、方法は、磁性材料によって生成された認識パターンを検出することおよび／または識別することを含む（１１０）。いくつかの実施形態では、認識パターンの識別可能材料によって生成された認識パターンのシグネチャを検出する。
【００５２】
本明細書において開示されたこのおよび他のプロセスおよび方法に関して、このプロセスおよび方法において実行される機能を、異なる順番で実装することができることを、当業者なら認識するであろう。さらにその上、概要を示したステップおよび動作は、単に例として提供され、ステップおよび動作の一部を、任意選択とすることができ、数少ないステップおよび動作へと統合することができるか、または開示した実施形態の核心を損なわずに追加のステップおよび動作へと拡張することができる。
【００５３】
いくつかの実施形態では、認識パターンおよび／またはコーデッドファイバを、本明細書において説明した認識パターンのうちのいずれかとすることができる。
【００５４】
いくつかの実施形態では、たとえば、識別可能材料が磁性材料を含むときには、認識パターンを、電磁検出装置によって検出することが可能である。いくつかの実施形態では、電磁検出装置は、約１ナノメートル、２ナノメートル、５ナノメートル、１０ナノメートル、１００ナノメートル、１ミクロン、１０ミクロン、１００ミクロン、１ミリメートル、１０ミリメートル、１００ミリメートル以内で、またはこれ以上で磁性材料を解像するように構成され、前記の値のうちのいずれか１つよりも小さな範囲、前記の値のうちのいずれか１つよりも大きな範囲、および前記の値のうちのいずれか２つの間の任意の範囲を含む。いくつかの実施形態では、電磁装置は、巨大磁気抵抗（「ＧＭＲ」）センサであり、そしていくつかの実施形態では、ＧＭＲセンサは、単一ファイバのレベルで符号を検出するために十分な解像度を有する。いくつかの実施形態では、電磁装置は、超電導量子干渉装置（「ＳＱＵＩＤ」）センサであり、そしてＳＱＵＩＤセンサは、単一ファイバのレベルまたはこれ以上のレベルで認識パターンを、および／またはファイバに沿った検出可能な材料の間隔を検出するために十分な解像度を有する。
【００５５】
いくつかの実施形態では、磁気プローブを、比較的粗いスケールで認識パターンを読み取るために使用することが可能である。いくつかの実施形態では、認識パターンが最終製品内に取り込まれた後でさえ、磁気センサは、認識パターン（またはより具体的には、認識パターンのシグネチャ）を読み取る。いくつかの実施形態では、認識パターンがカーボンファイバ強化ポリマー、自動車、飛行機、自転車フレーム、複合材料、遠隔制御車両、帆船、オートバイ、ラップトップ、三脚、釣竿、アーチェリー用具、テント支柱、ラケットフレーム、ゴルフクラブ、ビリアードキュー、または織物のうちのいずれか１つまたは複数の一部であるときでさえ、センサは、磁場（または、認識パターンからの他の信号）を読み取ることが可能である。
【００５６】
いくつかの実施形態では、認識パターン（またはそのシグネチャ）をスキャンすることおよび／または検出することの前に、その間におよび／またはその後で、データベースを提供するおよび／またはアクセスすることが可能である。いくつかの実施形態では、データベースは、識別可能材料（たとえば、磁性材料）によって生成された少なくとも１つの認識パターン（および／またはそのシグネチャ）の電子表示（electric representation）を含有する。いくつかの実施形態では、識別可能材料によって生成された認識パターンを、認識パターン（またはそのシグネチャ）の電子表示と比較し、この電子表示は、認識パターンの検出の前におよび／またはその後にはデータベース内にある。いくつかの実施形態では、磁性材料によって生成された認識パターンを、データベース内に記憶された認識パターンの約２、３、５、１０、１００、１，０００、１０，０００、１００，０００以上の電子表示と比較する。
【００５７】
いくつかの実施形態では、既知の認識パターン（またはそのシグネチャ）および認識パターンに関係する材料を入力することによって、データベースを作ることが可能である。いくつかの実施形態では、さまざまな認識パターンのシグネチャの集合を獲得し、認識パターンに関係する材料および／または項目の各々に関する情報を後で追加する。したがって、データベースが使用されるまたはアクセスされる前に、データベースは、認識パターン（またはそのシグネチャ）および材料に関する情報の両者を必ずしも含む必要がない。いくつかの実施形態では、材料の寿命全体を通して材料の特性を観測しながら、材料の特性に関する情報を追加することが可能である。いくつかの実施形態では、認識パターンのシグネチャに関する情報を、既知のおよび／または所望の認識パターンからのシグネチャの予測に基づいて規定することが可能である。いくつかの実施形態では、認識パターンのシグネチャに関する情報を、認識パターンを観測することおよび／またはスキャンすることに基づいて規定することが可能である。いくつかの実施形態では、認識パターンを対象物に設置する前に、これを実行することが可能である。いくつかの実施形態では、認識パターンを対象物上に設置するか、または関係付けた後で、これを実行することが可能である。
【００５８】
いくつかの実施形態では、コーデッドカーボンファイバに関する情報（たとえば、認識パターンおよび／またはファイバおよび／または認識パターンに関係付けられた構造）を、データベースによって提供し、および／またはデータベース中に記憶し、および／またはデータベースへと送る。いくつかの実施形態では、情報は、製造日、製造者アイデンティティ、クライアントユーザアイデンティティ、製造プロセス、および／または製造材料のうちの少なくとも１つを含む。しかしながら、このリスト中の項目を必要とせず、他の情報を同様にまたは代わりに提供することが可能である。いくつかの実施形態では、上記の情報は、認識パターン（および／または認識パターンのシグネチャ）の少なくとも１つの電子表示に関係付けられ、これはデータベース内に記憶される。いくつかの実施形態では、識別可能材料（たとえば、磁性材料）によって生成された認識パターンがデータベース内に記憶されると、認識パターンは、少なくとも１つの製造日、製造者アイデンティティ、クライアントユーザアイデンティティ、製造プロセス、または製造材料に関する情報に関係付けられる。たとえば、データベースがアクセスされると、カーボンファイバ材料に関する情報を得ることが可能であり、どのようにしてカーボンファイバ材料をリサイクルし、分解するか、寿命期待値がどれだけであるか、および／または他の特性を決定するために、この情報を使用することが可能である。
【００５９】
いくつかの実施形態では、第１のコーデッドカーボンファイバを、カーボンファイバ強化ポリマー材料上にまたはその中に設置する。いくつかの実施形態では、カーボンファイバ強化ポリマー材料は、少なくとも１本のコーデッドカーボンファイバの配列によって作られた少なくとも１つの認識パターンを含む。いくつかの実施形態では、カーボンファイバ強化ポリマーは、１つよりも多くの認識パターン、たとえば、約２、３、５、１０、１００、１０００、１０，０００、１００，０００以上の認識パターン（および／またはシグネチャ）を含む。いくつかの実施形態では、各認識パターンは、特定のタイプの情報（たとえば、作製日、どのように作られたか、および／またはどのようにリサイクルするか）を表示することが可能であり、認識パターンを、装置または構造に関係付けることが望まれる関連情報の各部分に対して追加することが可能である。
【００６０】
いくつかの実施形態では、認識パターンは、材料をどのようにしてリサイクルされるべきかを表示する。いくつかの実施形態では、リサイクルすることは、地域の要求および／または法令、たとえば、車両において、たとえば９５％以上の厳格なリサイクル率を要求する法令に従う。いくつかの実施形態では、リサイクルすることを、その全体のライフサイクルを通して材料を管理することによって容易にする。いくつかの実施形態では、リサイクルのタイプを、熱分解、低温流体処理、高温流体処理、および／または超臨界アルコールを含むことのうちの少なくとも１つから選択する。
【００６１】
いくつかの実施形態では、検出される認識パターンおよび／またはデータベース内の認識パターン（またはそのシグネチャ）に関係付けられた情報に基づいて、材料を処理することが可能である。たとえば、材料上の認識パターンに基づいて、その材料は、検査を受ける、維持管理を受ける、使用を中止される、別の製品または製造において再使用される、および／またはリサイクルされることが可能である。
【００６２】
図２Ｂは、認識パターンの使用を含むいくつかの実施形態を描く。いくつかの実施形態では、本方法は、少なくとも第１の磁気カーボンファイバを用意することを含む。カーボンファイバは、第１のカーボンファイバおよびカーボンファイバの表面上の、磁性材料の少なくとも部分コーティングを含み、これによって認識パターンを少なくとも含む（ブロック２００）（図２Ｂ）。いくつかの実施形態では、本方法は、認識パターンおよび／または少なくとも認識パターンのシグネチャを検出することを含む（ブロック２１０）。いくつかの実施形態では、識別可能材料は、磁性材料を含み、したがって、認識パターンシグネチャは、磁場に関係する特徴を含む。いくつかの実施形態では、認識パターン（および／またはそのシグネチャ）を検出することを、電磁装置の使用によって実現することが可能である（ブロック２１０）。いくつかの実施形態では、データベースをアクセスすることが可能であり、磁性材料によって生成された認識パターンのシグネチャを記述するデータを、認識パターンのシグネチャの電子表示と比較することが可能である（ブロック２２０）。いくつかの実施形態では、情報を、データベース内に記憶された認識パターンのシグネチャの電子表示と関係付け、この情報を提供することが可能である。いくつかの実施形態では、情報は、製造日、製造者アイデンティティ、クライアントユーザアイデンティティ、製造プロセス、または製造材料のうちの少なくとも１つを含むことが可能である（ブロック２３０）。いくつかの実施形態では、検出される認識パターンに基づいて、認識パターンに関係付けられた材料を処理する（ブロック２４０）。いくつかの実施形態では、これは、特定の方式でカーボンファイバをリサイクルするという結果をもたらすことが可能である。
【００６３】
いくつかの実施形態では、キットを提供する。いくつかの実施形態では、キットは、ファイバの表面上に、識別可能材料（たとえば、磁性材料）の少なくとも部分コーティングを有する少なくとも１本のファイバ（これをカーボンファイバとすることができる）を含む。いくつかの実施形態では、ファイバ上に設置した適切なパターンがあり、その結果、認識パターンが既に設けられる、しかしながら、これはすべての実施形態において必ずしも必要な状況ではない。いくつかの実施形態では、識別可能材料は、本明細書において説明したいずれかである。いくつかの実施形態では、キットは、１本よりも多くの識別可能カーボンファイバを含む。たとえば、キットは、約２、３、５、１０、１００、１，０００、１０，０００、１００，０００本以上の磁気カーボンファイバを含むことが可能であり、ここでは各磁気カーボンファイバを、磁性材料で部分的にまたは完全にコーティングする。いくつかの実施形態では、キットは、１つまたは複数の認識パターンを含む。いくつかの実施形態では、キットは、エポキシなどのキュア可能なポリマーを含む。
【００６４】
いくつかの実施形態では、キットは、電磁センサを含む。いくつかの実施形態では、電磁センサは、巨大磁気抵抗（「ＧＭＲ」）センサを含む。いくつかの実施形態では、電磁センサは、超電導量子干渉装置センサである。いくつかの実施形態では、電磁センサは、約１ナノメートル、２ナノメートル、５ナノメートル、１０ナノメートル、１００ナノメートル、１ミクロン、１０ミクロン、１００ミクロン、１ミリメートル、１０ミリメートル、１００ミリメートル、１０００ミリメートル以内で、またはこれ以上で磁性材料を解像するように構成され、前記の値のうちの１つよりも小さな範囲、前記の値のうちのいずれか１つよりも大きな範囲、および前記の値のうちのいずれか２つの間の任意の範囲を含む。
【００６５】
いくつかの実施形態では、キットは、コンピュータ可読媒体を含む。いくつかの実施形態では、コンピュータ可読媒体は、電磁センサに動作可能に接続され、コンピュータ可読媒体は、１つまたは複数の認識パターン（および／またはそれらのシグネチャ）に関する情報コンテンツを含むデータベースを含む。いくつかの実施形態では、情報は、１つまたは複数の認識パターン（および／またはそれらのシグネチャ）のうちの少なくとも１つに関係付けられる。いくつかの実施形態では、情報は、製造日、製造者アイデンティティ、クライアントユーザアイデンティティ、製造プロセス、および／または製造材料を含む。
【００６６】
いくつかの実施形態では、無線周波数識別タグ（「ＲＦＩＤＴ」）を有するコーデッドファイバを提供する。いくつかの実施形態では、識別可能材料が、磁性材料の代わりに無線周波数に基づく材料を含むことを除いて、これを、本明細書において提供した磁気実施形態のいずれかと同じとすることができる。したがって、磁気に基づく認識パターンおよび方法に関係する本明細書において提供したすべての実施形態を、無線周波数関係材料などの他の識別可能材料に対してやはり適用することが可能である。いくつかの実施形態では、無線周波数識別タグ（「ＲＦＩＤＴ」）を有する第１のコーデッドファイバは、第１のカーボンファイバ、および第１のカーボンファイバに接続された第１のＲＦＩＤＴを含む。いくつかの実施形態では、第２のＲＦＩＤＴファイバは、第２のカーボンファイバ、および第２のカーボンファイバに接続された第２のＲＦＩＤＴを含む。いくつかの実施形態では、第１のＲＦＩＤＴおよび第２のＲＦＩＤＴは、認識パターンとして配置される。いくつかの実施形態では、約３、５、１０、１００、１００本、またはこれ以上のコーデッドファイバを、それぞれＲＦＩＤＴに接続し、ＲＦＩＤＴの集合を、認識パターンとして配置する。いくつかの実施形態では、ＲＦＩＤタグを、石灰化レジン中に埋め込む。いくつかの実施形態では、ＲＦＩＤの位置を埋め込んだ後でさえ認識することが可能であるような方法で、ＲＦＩＤを埋め込む。
【００６７】
追加の代替実施形態
用語「磁性材料」が明細書全体を通して使用されるが、これは単に利便性のためであり、「磁性材料」に関する教示はまた、（無線周波数可読材料、放射線、等などの）他の識別可能材料にも適用される。
【００６８】
いくつかの実施形態では、ＣＦＲＰをリサイクルすることが典型的には困難であるという理由で発生することがあるリサイクルすることの課題に対処するために、認識パターンを使用することが可能である。
【００６９】
いくつかの実施形態では、符号を用いてＣＦＲＰコンポーネントにマーキングすることは、有利である場合があり、符号では、製造履歴、使用目的、製造者、またはクライアントユーザ、等に関する情報を認識することが可能である。いくつかの実施形態では、埋め込まれた認識パターンは、外部に張り付けたマーキング状のラベルと比較して有利であり、このラベルに対しては、偽造または交換などの不正行為を防止することが困難である場合がある。たとえば、ＲＦＩＤチップを埋め込むと、近接タイプのＲＦＩＤチップである場合には、それがどこにあるか位置を決めることが困難である場合がある。たとえば、遠距離場タイプのＲＦＩＤチップのケースでは、どのコンポーネントから信号が発せられるかを見分けるためには、車両はあまりにも多くのコンポーネントを有する場合がある。いくつかの実施形態では、これは、後で製造することまたは妨害することが困難である方式で材料自体の中にこのような情報をマーキングすることである。いくつかの実施形態に関係するので、本明細書における開示に先立っては、材料特性に影響を及ぼさずかつコストの点から受け入れられる標準に一致する満足なマーキング方法は、まだ開発されていない。
【００７０】
いくつかの実施形態では−たとえば、カーボンファイバ織物が層に積層されるエポキシ樹脂タイプのカーボンファイバ強化ポリマー（「ＣＦＲＰ」）では−認識パターンとして機能させるために、ニッケルなどの強誘電性材料で部分的にメッキしたファイバを使用するか、またはニッケルなどの強誘電性材料で全体をメッキしたファイバを部分的に使用して、織物内に強誘電性材料からなる１次元、２次元、および／または３次元パターンを形成することによって、カーボンファイバ織物を製造する時点において符号を埋め込む方法を提供する。いくつかの実施形態では、システムは、認識パターンを再生するために巨大磁気抵抗センサまたはトンネリング磁気抵抗（「ＴＭＲ」）コンポーネントなどの磁気アンテナを使用することによって、この認識パターンを解読する。
【００７１】
いくつかの実施形態では、より多くの詳細な情報を得ることが可能である一意に導き出した情報データベースにアクセスするために、認識パターンのシグネチャを使用することが可能である。例として、さまざまな角度に向けられた２次元カーボンファイバ織物を積層構造に層状に重ね、織物にエポキシ樹脂をしみ込ませ、続いて硬化させることによって、特に高強度を要求される用途に対して使用される主流のＣＦＲＰを形成することが可能である。しかしながら、可塑性樹脂中に小片化したファイバを分散させることによって形成したＣＦＲＰと比較して、このような主流のＣＦＲＰをリサイクルすることは極めて困難である場合がある。
【００７２】
いくつかの実施形態では、複合材料の内部に（認識パターンなどの）マーキングを設置するために、上記の方法のいずれかを使用することが可能である。
【００７３】
いくつかの実施形態では、認識パターンが後で修正されないように、認識パターンを硬化すべき材料中に埋め込み、したがって、信頼性の高い認識パターンを確実にする。いくつかの実施形態では、少数の磁気カーボンファイバだけが、認識パターンを生成する。いくつかの実施形態では、磁気的にコーティングしたカーボンファイバは、通常のカーボンファイバと同様の能力およびコストレベルを有し、材料特性およびそのコストにはほとんど影響を及ぼさない。
【００７４】
例示的な実施形態では、本明細書において説明した動作、プロセス、等のいずれかを、コンピュータ可読媒体上に記憶したコンピュータ可読命令として実装することが可能である。コンピュータ可読命令を、携帯装置、ネットワーク素子、および／または任意の他のコンピューティングデバイスよって実行することが可能である。
【００７５】
システムの側面でのハードウェアの実装形態とソフトウェアの実装形態との間には、ほとんど相違が残されていない。ハードウェアまたはソフトウェアの使用は、一般に（いつもそうではないが、ある状況ではハードウェアとソフトウェアの間の選択が重要になり得るという点で）コスト対効果のトレードオフを表す設計上の選択である。本明細書に記載された、プロセスおよび／またはシステムおよび／または他の技術をもたらすことができるさまざまな達成手段があり（たとえば、ハードウェア、ソフトウェア、および／またはファームウェア）、好ましい達成手段は、プロセスおよび／またはシステムおよび／または他の技術が導入される状況によって異なる。たとえば、実装者が速度と正確性が最も重要であると決定すると、実装者は主にハードウェアおよび／またはファームウェアの達成手段を選択することができる。フレキシビリティが最も重要なら、実装者は主にソフトウェアの実装形態を選択することができる。または、さらに別の代替案として、実装者は、ハードウェア、ソフトウェア、および／またはファームウェアのなんらかの組み合わせを選択することができる。
【００７６】
前述の詳細な説明では、ブロック図、フローチャート、および／または例の使用によって、装置および／またはプロセスのさまざまな実施形態を説明してきた。そのようなブロック図、フローチャート、および／または例が１つまたは複数の機能および／または動作を含む限りにおいて、そのようなブロック図、フローチャート、または例の中のそれぞれの機能および／または動作は、広範囲のハードウェア、ソフトウェア、ファームウェア、または実質上それらのすべての組み合わせにより、個別におよび／または集合的に実装可能であることが、当業者には理解されるであろう。ある実施形態では、本明細書に記載された主題のいくつかの部分は、特定用途向け集積回路（ＡＳＩＣ）、フィールドプログラマブルゲートアレイ（ＦＰＧＡ）、デジタルシグナルプロセッサ（ＤＳＰ）、または他の集積化方式によって実装することができる。しかし、本明細書で開示された実施形態のいくつかの態様が、全体においてまたは一部において、１つまたは複数のコンピュータ上で動作する１つまたは複数のコンピュータプログラムとして（たとえば、１つまたは複数のコンピュータシステム上で動作する１つまたは複数のプログラムとして）、１つまたは複数のプロセッサ上で動作する１つまたは複数のプログラムとして（たとえば、１つまたは複数のマイクロプロセッサ上で動作する１つまたは複数のプログラムとして）、ファームウェアとして、あるいは実質上それらの任意の組み合わせとして、等価に集積回路に実装することができることを、当業者は認識するであろうし、電気回路の設計ならびに／またはソフトウェアおよび／もしくはファームウェアのコーディングが、本開示に照らして十分当業者の技能の範囲内であることを、当業者は認識するであろう。さらに、本明細書に記載された主題のメカニズムをさまざまな形式のプログラム製品として配布することができることを、当業者は理解するであろうし、本明細書に記載された主題の例示的な実施形態が、実際に配布を実行するために使用される信号伝達媒体の特定のタイプにかかわらず適用されることを、当業者は理解するであろう。信号伝達媒体の例には、フロッピー（登録商標）ディスク、ハードディスクドライブ、ＣＤ、ＤＶＤ、デジタルテープ、コンピュータメモリ、などの記録可能なタイプの媒体、ならびに、デジタル通信媒体および／またはアナログ通信媒体（たとえば、光ファイバケーブル、導波管、有線通信リンク、無線通信リンクなど）の通信タイプの媒体が含まれるが、それらには限定されない。
【００７７】
本明細書で説明したやり方で装置および／またはプロセスを記載し、その後そのように記載された装置および／またはプロセスを、データ処理システムに統合するためにエンジニアリング方式を使用することは、当技術分野で一般的であることを当業者は認識するであろう。すなわち、本明細書に記載された装置および／またはプロセスの少なくとも一部を、妥当な数の実験によってデータ処理システムに統合することができる。通常のデータ処理システムは、一般に、システムユニットハウジング、ビデオディスプレイ装置、揮発性メモリおよび不揮発性メモリなどのメモリ、マイクロプロセッサおよびデジタル信号プロセッサなどのプロセッサ、オペレーティングシステムなどの計算実体、ドライバ、グラフィカルユーザインタフェース、およびアプリケーションプログラムのうちの１つもしくは複数、タッチパッドもしくはスクリーンなどの１つもしくは複数の相互作用装置、ならびに／またはフィードバックループおよびコントロールモータを含むコントロールシステム（たとえば、位置検知用および／もしくは速度検知用フィードバック、コンポーネントの移動用および／もしくは数量の調整用コントロールモータ）を含むことを、当業者は理解するであろう。通常のデータ処理システムは、データコンピューティング／通信システムおよび／またはネットワークコンピューティング／通信システムの中に通常見られるコンポーネントなどの、市販の適切なコンポーネントを利用して実装することができる。
【００７８】
本明細書に記載された主題は、さまざまなコンポーネントをしばしば例示しており、これらのコンポーネントは、他のさまざまなコンポーネントに包含されるか、または他のさまざまなコンポーネントに接続される。そのように図示されたアーキテクチャは、単に例にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【実施例１】
【００７９】
情報コーデッドカーボンファイバフェンダー
この例では、ハイブリッド電気自動車用のフェンダーは、情報提供エンコーデッドカーボンファイバを含む。フェンダーを製造するために、カーボンナノチューブが織物へと織られる。１００層のカーボンファイバが織られる。織物の１層内では、それぞれ織物の異なる四分の一区分内の４つの位置のところに、磁気ファイバ構造を利用する。磁気ファイバ構造は、ニッケルでコーティングしたカーボンナノチューブの磁気カーボンファイバを含む。４つの位置の各々において、１，０００本の磁気カーボンファイバおよび１，２００本の非磁気カーボンファイバを、カーボン織物の縦糸に交互のパターンに配列し、図１Ｃに示したような１次元認識パターンを形成する。これらの磁気ファイバを含むカーボン織物の層を、非磁気カーボン織物の層の間に挟み、その結果、層は異なる方向に向けられる。カーボン織物の層に、エポキシを浸み込ませ、Ｂ状態に硬化させる。真空成形を使用して、フェンダーを形成するために層を成形する。フェンダーを、自動車上に取り付けることが可能である。
【００８０】
０．１ｍｍ以内で強磁性材料を解像するように構成され、電子データベースに接続された巨大磁気抵抗センサは、フェンダーをスキャンし、認識パターンのシグネチャを検出する。認識パターンの各シグネチャのデジタル表示を、フェンダーの製造者、製造日、製造方法、ならびにカーボンファイバ、カーボン織物、および使用したエポキシのタイプについての情報とともに、電子データベースに記憶する。
【００８１】
フェンダーを、ハイブリッド電気自動車に使用する。
【００８２】
ハイブリッド電気自動車が稼働を中止すると、０．１ｍｍ以内で強磁性材料を解像するように構成され、データベースを含むコンピュータ可読媒体を読み取るようにプログラムされたコンピュータに接続された巨大磁気抵抗センサを用いて、フェンダーをスキャンする。センサは、フェンダーの認識パターンのシグネチャを検出し、コンピュータへそのシグネチャを記述するデータを伝送する。コンピュータは、センサによって伝送された認識パターンをデータベース内に記憶された認識パターンと比較するように構成される。コンピュータは、センサによって伝送された認識パターンをデータベース内の認識パターンと比較し、一致を同定し、フェンダーの製造者、製造日、製造方法、ならびにカーボンファイバ、カーボン織物、および使用したエポキシのタイプについてのデータを検索する。フェンダーは自動車から取り外される。データベースから検索した情報に基づいて、使用期間、製造プロセス、およびフェンダーを製造するために使用した材料のタイプに関する適切なリサイクル方法を使用して、フェンダーをリサイクルする。
【００８３】
本開示は、本願において記載した特定の実施形態の観点から限定されるものではなく、それらの実施形態はさまざまな態様の例示であるものと意図する。当業者には明白であるように、多くの修正形態および変形形態を、本開示の精神および範囲から逸脱せずに行うことが可能である。本明細書において列挙したものに加えて、本開示の範囲内の機能的に等価な方法および装置は、前述の説明から当業者には明白であろう。このような修正形態および変形形態は、別記の特許請求の範囲の範囲内になることを意図する。本開示は、別記の特許請求の範囲が権利を与える等価物の完全な範囲とともに、別記の特許請求の範囲の観点によってのみ限定される。本開示が特定の方法、試薬、化合物、構成物または生物システムに限定されないことが理解され、これは当然のことながら変わり得る。本明細書において使用した用語法は、単に特定の実施形態を記述する目的のためであり、限定するものではないこともまた理解される。
【００８４】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００８５】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００８６】
加えて、本開示の特徴または態様が、マーカッシュグループの観点から記述される場合には、本開示が、これによって、マーカッシュグループのいずれかの個別の構成要素または構成要素のサブグループの観点からやはり記述されることを、当業者なら認識するであろう。
【００８７】
当業者なら理解するように、明細書を提供する観点からなどのありとあらゆる目的に関して、本明細書において開示したすべての範囲は、ありとあらゆる可能な下位範囲およびその下位範囲の組み合わせをやはり包含する。いずれかの列挙した範囲は、同じ範囲を少なくとも２等分、３等分、４等分、５等分、１０等分、等に分割することを十分に記載しかつ可能にすると容易に認識され得る。非限定的な例として、本明細書において論じた各範囲を、下部３分の１、中央部３分の１および上部３分の１、等に容易に分割することが可能である。当業者ならやはり理解するように、「まで（ｕｐ  ｔｏ）」、「少なくとも」等などのすべての語法は、列挙した数を含み、かつ上に論じたように下位範囲へと後に分割することが可能である範囲を呼ぶ。最後に、当業者ならは理解するように、範囲は、それぞれの個別の構成要素を含む。このように、たとえば、１〜３個のセルを有するグループは、１、２、または３個のセルを有するグループを呼ぶ。同様に、１〜５個のセルを有するグループは、１、２、３、４、または５個のセルを有するグループを呼ぶ、等々。
【００８８】
上記から、本開示のさまざまな実施形態を例示の目的で本明細書において記載してきており、さまざまな変更形態を本開示の範囲および精神から逸脱せずに行い得ることが、認識されるであろう。したがって、本明細書において開示したさまざまな実施形態は、限定することを意図せず、真の精神および範囲は、別記の特許請求の範囲によって示される。
【図１Ａ】
0005878642.tif 000002
【図１Ｂ】
0005878642.tif 000003
【図１Ｃ】
0005878642.tif 000004
【図２Ａ】
0005878642.tif 000005
【図２Ｂ】
0005878642.tif 000006